(57)【要約】【課題】精穀体と閉鎖体との間に侵入した穀物を精穀する。【解決手段】精米装置１０では、精米筒３４と精米ロール３８との間の精米室４０において米粒が精米される。さらに、精米室４０における米粒の圧力によって抵抗弁４４が排出孔４２を開放して、排出孔４２を介して米粒が排出される。ここで、精米ロール３８の対向面３８Ｄにおける突出部５２の周面が精米ロール３８の対向面３８Ｄと抵抗弁４４との間から精米室４０に米粒を排出する。このため、精米室４０において当該米粒を精米できる。【選択図】図３
2019217426.tif 000002
【特許請求の範囲】
【請求項１】
内部に穀物が供給される精穀筒と、
前記精穀筒内に設けられ、回転されることで前記精穀筒との間において穀物が精穀される精穀体と、
前記精穀筒の軸方向一側に設けられる排出孔と、
前記排出孔を閉鎖し、前記排出孔を開放して前記排出孔から穀物が排出される閉鎖体と、
前記精穀体の前記閉鎖体側端に設けられると共に、前記閉鎖体側に突出され、周面が前記精穀体と前記閉鎖体との間から穀物を排出する突出部と、
を備える精穀装置。
【請求項２】
前記突出部に設けられ、前記精穀体の径方向外側に延出される延出部を備える請求項１記載の精穀装置。
【請求項３】
前記突出部に設けられ、前記精穀体の径方向外側へ向かうに従い前記閉鎖体とは反対側へ向かう方向に傾斜される傾斜面を備える請求項１又は請求項２記載の精穀装置。
【請求項４】
前記傾斜面の前記閉鎖体とは反対側端の位置が前記精穀体の前記閉鎖体側端の位置と前記精穀体の軸方向において一致される請求項３記載の精穀装置。
【発明の詳細な説明】
【技術分野】
【０００１】
本発明は、穀物を精穀する精穀装置に関する。
【背景技術】
【０００２】
下記特許文献１に記載の精米装置では、精米筒内に精米ロールが設けられており、精米筒内に米粒が供給されると共に、精米ロールが回転されることで、精米筒と精米ロールとの間において米粒が精米される。また、精米筒の軸方向一側に排出孔が設けられると共に、抵抗弁が排出孔を閉鎖しており、抵抗弁が排出孔を開放して、排出孔から米粒が排出される。
【０００３】
ここで、この精米装置では、精米ロールと抵抗弁との間に侵入した米粒が精米されない可能性がある。
【先行技術文献】
【特許文献】
【０００４】
【特許文献１】特開２０１６−１６８５５２号公報
【発明の概要】
【発明が解決しようとする課題】
【０００５】
本発明は、上記事実を考慮し、精穀体と閉鎖体との間に侵入した穀物を精穀できる精穀装置を得ることが目的である。
【課題を解決するための手段】
【０００６】
請求項１に記載の精穀装置は、内部に穀物が供給される精穀筒と、前記精穀筒内に設けられ、回転されることで前記精穀筒との間において穀物が精穀される精穀体と、前記精穀筒の軸方向一側に設けられる排出孔と、前記排出孔を閉鎖し、前記排出孔を開放して前記排出孔から穀物が排出される閉鎖体と、前記精穀体の前記閉鎖体側端に設けられると共に、前記閉鎖体側に突出され、周面が前記精穀体と前記閉鎖体との間から穀物を排出する突出部と、を備える。
【０００７】
請求項２に記載の精穀装置は、請求項１に記載の精穀装置において、前記突出部に設けられ、前記精穀体の径方向外側に延出される延出部を備える。
【０００８】
請求項３に記載の精穀装置は、請求項１又は請求項２に記載の精穀装置において、前記突出部に設けられ、前記精穀体の径方向外側へ向かうに従い前記閉鎖体とは反対側へ向かう方向に傾斜される傾斜面を備える。
【０００９】
請求項４に記載の精穀装置は、請求項３に記載の精穀装置において、前記傾斜面の前記閉鎖体とは反対側端の位置が前記精穀体の前記閉鎖体側端の位置と前記精穀体の軸方向において一致される。
【発明の効果】
【００１０】
請求項１に記載の精穀装置では、精穀筒内に精穀体が設けられており、精穀筒内に穀物が供給されると共に、精穀体が回転されることで、精穀筒と精穀体との間において穀物が精穀される。さらに、精穀筒の軸方向一側に排出孔が設けられると共に、閉鎖体が排出孔を閉鎖しており、閉鎖体が排出孔を開放して、排出孔から穀物が排出される。
【００１１】
ここで、精穀体の閉鎖体側端に突出部が設けられると共に、突出部が閉鎖体側に突出されており、突出部の周面が精穀体と閉鎖体との間から穀物を排出する。このため、当該穀物を精穀筒と精穀体との間において精穀できる。
【００１２】
請求項２に記載の精穀装置では、突出部に延出部が設けられており、延出部が精穀体の径方向外側に延出される。このため、精穀体と閉鎖体との間から穀物を効果的に排出できる。
【００１３】
請求項３に記載の精穀装置では、突出部に傾斜面が設けられており、傾斜面が精穀体の径方向外側へ向かうに従い閉鎖体とは反対側へ向かう方向に傾斜される。このため、精穀体と閉鎖体との間からの穀物の排出が阻害されることを抑制できる。
【００１４】
請求項４に記載の精穀装置では、傾斜面の閉鎖体とは反対側端の位置が精穀体の閉鎖体側端の位置と精穀体の軸方向において一致される。このため、精穀体と閉鎖体との間からの穀物の排出が阻害されることを効果的に抑制できる。
【図面の簡単な説明】
【００１５】
【図１】本発明の実施形態に係る精米装置を示す側方から見た断面図である。
【図２】本発明の実施形態に係る精米装置を示す斜視図である。
【図３】本発明の実施形態に係る精米装置の主要部を示す側方から見た断面図である。
【図４】（Ａ）〜（Ｃ）は、本発明の実施形態に係る精米装置の固定柱を示す図であり、（Ａ）は、斜視図であり、（Ｂ）は、正面図であり、（Ｃ）は、一部破断した側面図である。
【発明を実施するための形態】
【００１６】
図１には、本発明の実施形態に係る精穀装置としての精米装置１０が側方から見た断面図にて示されており、図２には、精米装置１０が斜視図にて示されている。
【００１７】
図１及び図２に示す如く、本実施形態に係る精米装置１０には、供給手段としての矩形筒状のホッパ１２が設けられており、ホッパ１２の軸方向は、上下方向に平行に配置されている。ホッパ１２内には、上側から穀物（穀粒）としての米粒（玄米Ｇ）が供給可能にされており、ホッパ１２内に供給された米粒は、ホッパ１２内を流下される。
【００１８】
ホッパ１２の下側には、調整手段としての繰出機構１４が設けられており、繰出機構１４内は、ホッパ１２内に連通されている。繰出機構１４内には、ホッパ１２内を流下された米粒が供給可能にされており、繰出機構１４は、作動されることで、内部に供給された米粒を繰り出すと共に、繰り出す米粒の量を調整する。
【００１９】
繰出機構１４の側方には、円柱形容器状の支持筒１６が設けられており、支持筒１６の軸方向は、水平方向に対し略４５°傾斜されている（水平方向に対し垂直にされてもよい）。
【００２０】
支持筒１６内には、回転軸としての略円柱状の支軸１８が同軸上かつ回転可能に支持されており、支軸１８は、支持筒１６の上側及び下側に延出されている。支軸１８の上側端（基端）には、ベルト２０を介して駆動手段としての精米モータ２２が接続されており、精米モータ２２が駆動されることで、支軸１８が回転される。
【００２１】
支軸１８の下側端部（先端部）以外の部分は、本体部材としての略円柱状の支軸本体１８Ａにされており、支軸１８の下側端部には、固定部材としての略円柱状の固定柱４８（図３参照）が設けられている。固定柱４８の下側部分（先端側部分）は、大径部４８Ａにされると共に、固定柱４８の上側部分（基端側部分）は、小径部４８Ｂにされており、大径部４８Ａの径は、小径部４８Ｂの径に比し大きくされている。固定柱４８には、円状の締結孔４８Ｃが同軸上に形成されており、締結孔４８Ｃは、下側に開放されている。支軸本体１８Ａと固定柱４８との間には、締結部材としてのボルト５０（図３参照）が設けられており、ボルト５０の頭部５０Ａは、締結孔４８Ｃに同軸上に嵌合されている。ボルト５０のネジ部５０Ｂは、固定柱４８の締結孔４８Ｃ上側壁（底壁）を同軸上に貫通されて、支軸本体１８Ａに同軸上に螺合（締結）されており、ボルト５０は、固定柱４８と支軸本体１８Ａとを同軸上に連結している。
【００２２】
固定柱４８（大径部４８Ａ）の下側面（先端面）には、板状の突出部５２（図４の（Ａ）〜（Ｃ）参照）が一体形成されており、突出部５２は、下側に突出されている。突出部５２は、外形菱形状にされており、突出部５２は、固定柱４８と同軸上に配置されると共に、締結孔４８Ｃを下側に開放させている。突出部５２の各角部分は、延出部５２Ａにされており、延出部５２Ａは、固定柱４８の径方向外側に延出されている。突出部５２の中央部分は、外形六角形平板状にされており、突出部５２の両外側部分は、三角形板状にされている。突出部５２の両外側部分の下側面は、平面状の傾斜面５２Ｂにされており、傾斜面５２Ｂは、固定柱４８の径方向外側へ向かうに従い上側（固定柱４８側）へ向かう方向に傾斜されて、傾斜面５２Ｂの上側端５２Ｃは、固定柱４８の外周において固定柱４８の下側面に到達している。
【００２３】
固定柱４８の下側面（突出部５２の表面を含む）は、所謂バフ仕上げが行われて、磨き面にされており、これにより、後述の如く米粒が精米されて発生する糠が固定柱４８の下側面に付着することが抑制される。また、突出部５２の長対角線の寸法（大径部４８Ａの径寸法）は、突出部５２の短対角線の寸法の例えば２倍にされている。さらに、突出部５２の最大突出寸法（突出部５２の中央部分の突出寸法）は、例えば１ｍｍにされており、傾斜面５２Ｂの固定柱４８下側面に対する傾斜角度は、例えば４°にされている。
【００２４】
支持筒１６の下側には、円筒状の送出筒２４が一体に設けられており、送出筒２４は、支持筒１６と同軸上に配置されると共に、内部に支軸１８が同軸上に貫通されている。
【００２５】
送出筒２４内における支軸１８の外周には、送出本体としての略円筒状の送出筒体２６Ａが同軸上に設けられており、送出筒体２６Ａの上側への移動は、支軸１８によって係止されると共に、送出筒体２６Ａの下側への移動は、下記精米筒体３８Ａによって係止されている。送出筒体２６Ａの支軸１８に対する回転は、係止されており、送出筒体２６Ａは、支軸１８と一体回転可能にされて、支軸１８の送出筒体２６Ａ固定部分と共に送出体としての送出ロール２６を構成している。送出ロール２６（送出筒体２６Ａ）の外周面には、螺旋状の送出螺旋２６Ｂが一体に設けられており、送出螺旋２６Ｂは、送出ロール２６の径方向外側に突出されている。
【００２６】
送出筒２４と送出ロール２６との間には、送出室２８が形成されており、送出室２８の上側端部は、繰出機構１４内に連通されている。このため、送出室２８には、繰出機構１４が繰り出した米粒が供給（流下）可能にされており、送出室２８に供給された米粒は、送出ロール２６が回転されることで、送出ロール２６の送出螺旋２６Ｂによって送出室２８を下側に送り出される。
【００２７】
送出筒２４の下側端外周には、円環板状の上板３０が一体に設けられており、上板３０は、送出筒２４と同軸上に配置されている。上板３０の下側には、設置部材としての円環板状の下板３２が連結されており、下板３２は、支軸１８の下側近傍において、上板３０と同軸上に配置されている。
【００２８】
上板３０と下板３２との間には、精穀筒としての六角形筒状の精米筒３４（金網）が固定されており、精米筒３４は、支持筒１６と同軸上に配置されると共に、内部に支軸１８が同軸上に挿入されている。精米筒３４の周壁全体には、多数の除去孔３６（図３参照）が形成されており、除去孔３６は、精米筒３４内と精米筒３４外とを連通させている。
【００２９】
精米筒３４内における支軸１８（固定柱４８及びボルト５０を含む）の外周には、精穀本体としての略円筒状の精米筒体３８Ａ（図３参照）が同軸上に設けられている。精米筒体３８Ａの下側端部（先端部）には、円状の固定孔３８Ｃが同軸上に形成されており、固定孔３８Ｃは、径が精米筒体３８Ａの内径よりも大きくされると共に、下側に開放されている。精米筒体３８Ａ内には、固定柱４８の小径部４８Ｂが同軸上に嵌合されると共に、固定孔３８Ｃには、固定柱４８の大径部４８Ａが同軸上に嵌合されており、ボルト５０の頭部５０Ａは、固定柱４８の締結孔４８Ｃ上側面（底面）に圧接されると共に、大径部４８Ａは、固定孔３８Ｃの上側面（底面）に圧接されている。精米筒体３８Ａの支軸１８に対する回転は、係止されており、精米筒体３８Ａは、支軸１８と一体回転可能にされて、支軸１８の精米筒体３８Ａ固定部分と共に精穀体（摩擦精穀手段）としての精米ロール３８（摩擦ロール）を構成している。精米ロール３８の下側面（先端面）は、平面状の対向面３８Ｄにされており、対向面３８Ｄは、固定柱４８の下側面及び精米筒体３８Ａの下側面が構成すると共に、固定柱４８の突出部５２が下側に突出されている。精米ロール３８（精米筒体３８Ａ）の外周面には、柱状の突条３８Ｂが所定数固定されており、突条３８Ｂは、精米ロール３８の径方向外側に突出されると共に、精米ロール３８の軸方向に平行に延伸されている。
【００３０】
精米筒３４と精米ロール３８との間には、精穀室としての精米室４０が形成されており、精米室４０の上側は、送出室２８に連通されている。このため、精米室４０には、送出室２８から送り出された米粒が供給可能にされており、精米室４０に供給された米粒は、精米ロール３８が回転されることで、精米ロール３８の突条３８Ｂによって攪拌される。これにより、精米筒３４及び突条３８Ｂと米粒との間及び米粒と米粒との間に発生する摩擦力によって米粒が精米（精穀）されて白米Ｈにされる。また、米粒が精米されて発生する糠（米粒から糠層が除去されて発生する糠粉）は、精米筒３４の除去孔３６を介して精米筒３４外に排出される。
【００３１】
下板３２には、円状の排出孔４２（図３参照）が同軸上に貫通形成されており、排出孔４２は、精米筒３４内に連通されている。排出孔４２の上側端部は、円状の排出口４２Ａにされており、排出孔４２の排出口４２Ａ以外の径は、排出口４２Ａの径に比し大きくされている。
【００３２】
排出孔４２には、下側から、閉鎖体としての略円柱状の抵抗弁４４（図３参照）が挿入されており、抵抗弁４４の上側端部には、円板状の閉鎖部４４Ａが同軸上に形成されている。閉鎖部４４Ａは、排出孔４２の排出口４２Ａに嵌入されており、閉鎖部４４Ａは、排出口４２Ａを閉鎖している。抵抗弁４４（閉鎖部４４Ａ）の上側面は、精米ロール３８の対向面３８Ｄに対向されており、抵抗弁４４は、上側面が対向面３８Ｄと平行に配置されると共に、対向面３８Ｄに対し離間されている。精米ロール３８（固定柱４８）の突出部５２は、抵抗弁４４側に突出されており、突出部５２は、対向面３８Ｄに比し抵抗弁４４側に接近されている。突出部５２は、抵抗弁４４に対し僅かに離間されており、突出部５２の中央部分（外形六角形部分）と抵抗弁４４との間には、米粒が侵入不能にされている。
【００３３】
抵抗弁４４の下側には、付勢機構４６が連絡されており、付勢機構４６は、抵抗弁４４を上側に付勢している。このため、付勢機構４６の付勢力により抵抗弁４４の閉鎖部４４Ａが排出孔４２の排出口４２Ａを閉鎖しており、精米室４０における米粒の圧力によって抵抗弁４４が付勢機構４６の付勢力に抗して下側に移動されて、閉鎖部４４Ａが排出口４２Ａを開放することで、精米室４０で精米が終了した米粒（白米Ｈ）が排出孔４２を介して排出される。付勢機構４６が調節作動された際には、付勢機構４６の抵抗弁４４に対する付勢力が調節されて、閉鎖部４４Ａによる排出口４２Ａの閉鎖力が調節されることで、精米室４０における米粒の精米圧力が調節されて、精米が終了した米粒の精米度（白米Ｈの白度）が調節される。
【００３４】
次に、本実施形態の作用を説明する。
【００３５】
以上の構成の精米装置１０では、ホッパ１２内に米粒（玄米Ｇ）が上側から供給されることで、米粒が、ホッパ１２内を流下されて、繰出機構１４内に供給される。これにより、繰出機構１４が、米粒を繰り出すと共に、繰り出す米粒の量を調整する。
【００３６】
繰出機構１４が繰り出した米粒は、送出筒２４と送出ロール２６との間の送出室２８に供給されて、回転される送出ロール２６の送出螺旋２６Ｂによって送出室２８を下側に送り出される。これにより、送出室２８から送り出された米粒が、精米筒３４と精米ロール３８との間の精米室４０に供給されて、回転される精米ロール３８の突条３８Ｂによって攪拌されることで、精米筒３４及び突条３８Ｂと米粒との間及び米粒と米粒との間に発生する摩擦力によって米粒が精米される。
【００３７】
また、精米室４０における米粒の圧力によって抵抗弁４４が付勢機構４６の付勢力に抗して下側に移動されることで、抵抗弁４４の閉鎖部４４Ａが排出孔４２の排出口４２Ａを開放する。これにより、精米室４０で精米が終了した米粒（白米Ｈ）が排出孔４２を介して排出される。
【００３８】
ところで、精米装置１０の精米処理が開始されて、精米室４０が米粒によって満たされる際には、精米ロール３８の対向面３８Ｄと抵抗弁４４との間に米粒（玄米Ｇ）が侵入する可能性がある。
【００３９】
ここで、精米ロール３８の対向面３８Ｄ（固定柱４８の下側面）の突出部５２が抵抗弁４４側に突出されており、精米ロール３８が回転されて、突出部５２が回転されることで、突出部５２の周面が精米ロール３８の対向面３８Ｄと抵抗弁４４との間から精米室４０に米粒を弾き飛ばして排出する。このため、精米室４０において当該米粒を精米でき、精米ロール３８の対向面３８Ｄと抵抗弁４４との間から米粒が排出されずに精米されないことを抑制できる。これにより、抵抗弁４４が下側に移動されて、抵抗弁４４の閉鎖部４４Ａが排出孔４２の排出口４２Ａを開放した際に、精米ロール３８の対向面３８Ｄと抵抗弁４４との間の精米されない米粒（玄米Ｇ）が排出孔４２を介して排出されることを抑制でき、精米の品質を向上できる。
【００４０】
さらに、突出部５２の延出部５２Ａが精米ロール３８（固定柱４８）の径方向外側に延出されている。このため、突出部５２の周面が精米ロール３８の対向面３８Ｄと抵抗弁４４との間から精米室４０に米粒を効果的に弾き飛ばして排出できる。
【００４１】
しかも、突出部５２の両外側部分における延出部５２Ａが固定柱４８の外周まで延出されている。このため、突出部５２の周面が精米ロール３８の対向面３８Ｄと抵抗弁４４との間から精米室４０に米粒を一層効果的に弾き飛ばして排出できる。
【００４２】
また、突出部５２の両外側部分における傾斜面５２Ｂが固定柱４８の径方向外側へ向かうに従い上側（抵抗弁４４とは反対側）へ向かう方向に傾斜されている。このため、突出部５２の周面が精米ロール３８の対向面３８Ｄと抵抗弁４４との間から弾き飛ばした米粒を突出部５２が堰き止めることを傾斜面５２Ｂによって抑制でき、精米ロール３８の対向面３８Ｄと抵抗弁４４との間から精米室４０への米粒の排出が阻害されることを抑制できる。
【００４３】
しかも、傾斜面５２Ｂの上側端５２Ｃ（抵抗弁４４とは反対側端）の位置が精米ロール３８の対向面３８Ｄ（固定柱４８の下側面）の位置と精米ロール３８の軸方向において一致されている。このため、突出部５２の周面が精米ロール３８の対向面３８Ｄと抵抗弁４４との間から弾き飛ばした米粒を突出部５２が堰き止めることを傾斜面５２Ｂによって効果的に抑制でき、精米ロール３８の対向面３８Ｄと抵抗弁４４との間から精米室４０への米粒の排出が阻害されることを効果的に抑制できる。
【００４４】
なお、本実施形態では、突出部５２の両外側部分における延出部５２Ａが固定柱４８の外周まで延出される。しかしながら、突出部５２の延出部５２Ａが精米ロール３８の対向面３８Ｄの外周まで延出されてもよい。
【００４５】
また、本実施形態では、精米装置１０を摩擦式のものにして精米室４０の米粒を摩擦力により精米する。しかしながら、精米装置１０を研削式のものにして精米室４０の米粒を研削により精米（精穀）してもよい。
【００４６】
さらに、本実施形態では、本発明を精米装置１０に適用した。しかしながら、本発明を他の精穀装置に適用して、米粒以外の穀物（麦粒等）を精穀してもよい。
【符号の説明】
【００４７】
１０    精米装置（精穀装置）
３４    精米筒（精穀筒）
３８    精米ロール（精穀体）
４２    排出孔
４４    抵抗弁（閉鎖体）
５２    突出部
５２Ａ  延出部
５２Ｂ  傾斜面
Ｇ    玄米（穀物）
Ｈ    白米（穀物）
【図１】
2019217426.tif 000003
【図２】
2019217426.tif 000004
【図３】
2019217426.tif 000005
【図４】
2019217426.tif 000006